Podtech/llm-jp-corpus-v4-ja_patent huggingface dataset:
(57)【要約】【課題】  柄の先端に多角形回転式ローラーを取り付けることで、一枚の不織布で複数面を使用し汚れを拭き取ることのできる、多角形ローラー回転式フローリングクリーナーを提供する。【解決手段】  柄（１）の先端に回転式ローラー（２）を設け、回転式ローラー（２）部分に専用の不織布（３）を取り付けたことを特徴とする多角形ローラー回転式フローリングクリーナー。【選択図】図１
2020049189.tif 000002
【特許請求の範囲】
【請求項１】
柄（１）の先端に回転式ローラー（２）を設け、回転式ローラー（２）部分に不織布（３）を取り付けた多角形ローラー回転式フローリングクリーナー。
【請求項２】
回転式ローラー（２）は、不織布を取り付けるための部品Ａ（４）と、柄（１）と固定する為の軸となる部品Ｂ（５）から成る。
【請求項３】
不織布は回転式ローラーの２つ以上の部品で挟んで固定する。
【請求項４】
柄（１）の先端に取り付けられた回転式ローラー（２）は、軸を中心に３６０度自由に回転させられるほか、面が回転しないように面の位置を調整して固定することができる。
【請求項５】
回転式ローラー（２）の先端にある摘み（６）を押し込むと回転式ローラー（２）が固定され、手前に引くと、固定が解除され自由に回転し、摘み（６）を回すことで回転式ローラー（２）の面を切り替えることができる。
【発明の詳細な説明】
【技術分野】
【０００１】  本発明は、清掃用具に関するもので、クリーナー先端に多角形回転式ローラーを取り付けることで、１枚の不織布で複数面を使用して汚れを拭き取ることのできる、多角形ローラー回転式フローリングクリーナーに関するものである。【０００２】  従来、クリーナー先端に取り付けられた平面の板に不織布を固定する方法があった。また、不織布の取付方法の違いに関するものや不織布を両面に付けられるものがあった。
【先行技術文献】
【０００３】
【特許文献１】特開２０１７−６４７７（Ｐ２０１７−６４７７Ａ）号公報
【発明の概要】
【発明が解決しようとする課題】
【０００４】これは、次のような問題点があった。
（イ）道具先端の板に取り付けられた不織布は床面清掃後、片面又は両面が汚れる度すぐ    に不織布を交換する必要があった。
本発明は、これらの問題点を解決するためになされたものである。
【課題を解決するための手段】
【０００５】  柄（１）の先端に回転式ローラー（２）を設け、回転式ローラー（２）部分に不織布（３）を取り付けたフローリングクリーナー。
本発明は、以上の構成よりなる多角形ローラー回転式フローリングクリーナーである。
【発明の効果】
【０００６】（イ）道具先端に設けた回転式ローラーの面を回転させることで、スムーズに綺麗な面へ    切り替えることが出来、掃除時間の短縮・負担の軽減に繋がる。
（ロ）不織布１枚で複数面に分けて汚れを除去できる為、１枚の不織布を長持ちさせると    同時に使用者の経費削減に繋がる。
【図面の簡単な説明】
【０００７】
【図１】本発明の正面図である。
【図２】本発明の正面拡大図である。
【図３】本発明の側面図である。
【図４】本発明の側面拡大図である。
【図５】本発明の斜視図である。
【図６】本発明の斜視図である。
【発明を実施するための形態】
【０００８】  以下、本発明を実施するための形態について説明する。
柄（１）の先端に回転式ローラー（２）を設ける。
回転式ローラー（２）に汚れを吸着させる為の不織布（３）を取り付ける。
また、回転式ローラー（２）の構成は、大きく分けて不織布を取り付けるための部品Ａ（４）と、柄（１）に固定する為の軸となる部品Ｂ（５）から成る。部品Ａ（４）と部品Ｂ（５）で挟む形で不織布を固定する。回転式ローラー（２）は軸を中心に３６０度自由に回転させられるほか、本体横の摘み（６）を調整し面が回転しないように面の位置を調整して固定することができる。
本発明は以上のような構造である。
本発明を使用するときは、回転式ローラーに不織布を取り付けた後、柄を持ち不織布を取り付けた回転式ローラーの面を床につけ拭いて掃除する。まず１つ目の面で床の汚れを拭き取る。次に回転式ローラーと連動する本体横の摘みを回転させて２つ目の面を床に接するようにし、床の隅や棚等の汚れを除去する。最後に同じように摘みを回して３つ目の面を使って残った汚れを除去し、掃除の仕上げをする。
また１日１面だけで掃除、回転式ローラーを回転させて２日目に２面目、３日目に３面を使う方法もある。使用者が本発明を自ら工夫して掃除することができる。
【符号の説明】
【０００９】  １柄
２回転式ローラー
３不織布
４部品Ａ
５部品Ｂ
６摘み
【図１】
2020049189.tif 000003
【図２】
2020049189.tif 000004
【図３】
2020049189.tif 000005
【図４】
2020049189.tif 000006
【図５】
2020049189.tif 000007
【図６】
2020049189.tif 000008
(57)【要約】      （修正有）【課題】作業中のねじの脱落を防止する。【解決手段】一般ねじ回し工具１にねじの頭を掴む補助具を取り付けることにより、作業中のねじ脱落を防止させた。あるいは一般ねじ回し工具１と補助具を一体化させ、より単純化させた。【選択図】図１
2020049570.tif 000002
【特許請求の範囲】
【請求項１】
一般ねじ回し工具に、脱落防止を後付け可能なことを特徴とする補助道具。
或いは、一体化したねじ回し工具。
【請求項２】
前記、ねじ脱落防止補助具は作業時のねじの脱落を防止することを特徴とする請求項１記載のねじ脱落防止補助具。
【発明の詳細な説明】
【技術分野】
【０００１】
この発明は、ねじ回し工具の形状に関する。
【背景技術】
【０００２】
従来のねじ回し工具は先端で回す、ねじの脱落防止に関して考慮されていない。
一部、考慮されて先端が磁石のものもあるが、鉄製のねじにしか利用できない。
近年ではねじの頭の種類も、材質も増え、それに合わせたねじ回し工具
【発明の概要】
【発明が解決しようとする課題】
【０００３】
しかしながら、ねじ、工具の種類が増えても、ねじの脱落防止の対策は進化していない。
そこで、この発明は、そのあらゆるねじ回し工具に使うねじの脱落防止を解決させることを課題とする。
【課題を解決するための手段】
【０００４】
以上の課題を解決するために、第一発明は、工具の先につけるねじを図１のように固定させるための後付け可能な補助具を設けたものである。
【発明の効果】
【０００５】
第一発明によれば、どのような姿勢になって、工具しか届かない隙間でも、もねじを落とすことなく、回すことができ、一度、ねじ穴に噛んでしまえば、補助具のない工具で回すことができるようになる。
【図面の簡単な説明】
【０００６】
【図１】この発明の一実施形態を示す図面であり、補助道具がねじを掴んでいる状態である。
【図２】この発明の一実施形態を示す図面であり、補助道具がねじを放している状態である。
【図３】この発明の一実施形態を示す図面であり、ねじ脱落防止機構が一般ねじ回し道具と一体化した物でねじを掴んでいる状態である。
【図４】この発明の一実施形態を示す図面であり、ねじ脱落防止機構が一般ねじ回し道具と一体化した物でねじを放している状態である。
【図５】この発明の一実施形態を示す図面であり、後付け、ねじ脱落防止機構が金属でない、ゴムや軟性樹脂などを用いた状態である。
【図６】図３一体型の指が3本以上の多指の場合である。図では4本と5本の場合を上下並べ、先端方向から見た状態である。
【発明を実施するための形態】
【０００７】
この発明の一実施形態を、図１に示す。一般のねじ回し工具では、水平、垂直、どの方向でもねじを抑えながら、ねじ穴に噛むまで、回さないとねじが脱落する。
作業場所によっては両手を使うことが困難となり、ねじを支持しながら回すことは不可能である。
どの様な作業状況でもねじを工具先端から脱落防止することを防ぐための治具を一般のねじ回し工具に取り付けた状態。
【実施例】
【０００８】
「実施形態の効果」
この実施形態によれば、先端の細い部品がねじの頭をつかむことにより、ねじの脱落を防止する。鈕を押すことにより、ねじの頭を掴む、離すが可能である。
「他の実施形態」
図１の実施形態では、指の数は３本だが、他の実施形態では４本、５本に増やしても、同様の効果が得られる。数を２、１と減らしても安定度は低下するが、効果は同じである。故、指の数が、減っても、増えても、類似技術とみなす。さらにこの補助具は後付け用のものだが、一体型も同様に図３に示す。図５は後付け式の簡易版であり、使用する材質により、極限まで材料費、製作費を抑えたものである。形状としては腕抜きのようなねじ付近がゴムで収縮する仕組みを有する。
【符号の説明】
【０００９】
１  一般ねじ回し工具
２  先端を開閉させる鈕で内部のばね機構により、人の指一本の力で押せ、放せば、ばねの力で自動的に先端の指が閉じる方向へ戻る
３  工具に補助道具を取り付けるための機構。板ばねなどを用い、一般工具からの取り外しも、他の工具を使わずに、人の手だけで行えるような構造
４  ねじを掴む部分、閉口状態
５  『２』を下に押すことにより、内部機構と連動して先端の細い金属や耐久性の高い合成樹脂等の指が押されて開口状態になる
６  一体型の先端を開閉させる鈕。閉口時では鈕は突出している。内部はばねによる上下機構を有し、芯材につながる細い指が連動して動く。人の指一本の力だけで押せ、鈕を放せば、ばねの力で自動的に先端の指が閉じる方向へ戻る
７  一体型のねじを掴む部分、閉口状態
８  『６』の鈕を押し、内部機構とつながる先端の指が動くことによる開口状態
９  『１』にゴムや軟性合成樹脂でねじを保持する簡易版をかぶせた状態
１０  一体型の４指の場合
１１  一体型の５指の場合
【図１】
2020049570.tif 000003
【図２】
2020049570.tif 000004
【図３】
2020049570.tif 000005
【図４】
2020049570.tif 000006
【図５】
2020049570.tif 000007
【図６】
2020049570.tif 000008
(57)【要約】【課題】本発明は機械的操作を一切持ちうることなく醤油差しの転倒時に醤油等の流出未然に防ぐ醤油差しを提供する。【解決手段】本醤油差しは図３で抽出口ＡとＡのすぐ上に持ってきた吸気口Ｅ、その間にある仕切り板Ｃ、本醤油差しの三角ヘッドＤと衝撃緩衝板Ｂで構成され，転倒時に抽出口Ａと吸気口Ｅを液体が同時に塞ぎその流出を防ぐ、転倒後於いても三角ヘッドの構造が抽出口Ａを上に向くことで安全性の高い醤油差しを提供する。【選択図】図３
2020195747.tif 000002
【特許請求の範囲】
【請求項１】
［００１］図３で示す通り吸気口を注出口のすぐ真上に取り付け注出口と吸気口の間に図３で仕切り板Ｃを設けた醤油差し。
【請求項２】
［００２］図３に於いて仕切り壁Ｃは三角ヘッドＤとＣの作るポケット内に一度倒れた醤油差しを立に戻した時にポケット内に醤油が残らないように仕切り板Ｃに勾配を付けて取り付けた醤油差し。
【請求項３】
［００３］図３で示す通り醤油差しのヘッド部の注出口側を斜めに切り三角形状（三角ヘッドＤ）にすることによって図２の示す様に転倒時において最終的に注出口側が上を向くようにした醤油差し。
【請求項４】
［００４］図３で示す通り注出口のすぐ下に転倒時に液体の流れが直ちに注出口へ向かうのを遅らしＡとＥ同時に塞ぐようにする為に衝撃緩衝板Ｂを設けている醤油差し。
【発明の詳細な説明】
【技術分野】
【０００１】本発明は誤って醤油差しを転倒させてしまっても液が流出しないようにする安全で便利な醤油差しを提供する。
【背景技術】
【０００２】一般的に市販されている醤油差しでは機械的押しボタン式や抽出口を回転するなどして開閉するものはある。【０００３】特許技術に於いても抽出口や吸気口に何らかの工夫によって転倒時に液が流出しないようにする物が幾つか考案されているが注ぎの前後に何らかの操作が必要であった。
【先行技術文献】
【特許文献】
【０００４】
【特許文献１】実解昭５１−０２６０７６号公報
【特許文献２】実解昭５１−０３００８４号公報
【特許文献３】特解昭５３−０１９２７２号公報
【特許文献４】実解昭５４−０１３４７４号公報
【特許文献５】実解昭５５−０３００７３号公報
【特許文献６】実解昭５８−００３８７１号公報
【特許文献７】実解昭５９−１３２５７８号公報
【特許文献８】実  登３００６６８７号公報
【特許文献９】実  登３０１６２５８号公報
【特許文献１０】特解平１１−２１６０５６号公報
【特許文献１１】特解２００３−９３２１３号公報
【発明の概要】
【発明が解決しようとする課題】
【０００５】  本発明は一切機械的操作を持ちうることなく、醤油差しを誤って転倒した時  自動的に醤油等の流出を未然に防ぎ通常で使用出来る醤油差しを提供することにある。【０００６】  醤油差しが転倒した後に於いても自然に抽出口が上部に向くように醤油差しの形状を設計するものである。
【課題を解決するための手段】
【０００７】  醤油差しで醤油を注ぐ為に醤油差しを傾ける。図３で抽出口Ａと吸気口Ｅの間には仕切り板Ｃがあり、これが醤油を吸気口Ｅに向かうのを防ぐ為に吸気口Ｅに醤油が行かず醤油を注ぐことが出来る。【０００８】  醤油差しが転倒すると、醤油は抽出口Ａと仕切り板Ｃ超えて吸気口Ｅにも向かう。すると容器内は空気の流入はなくなり負圧になる為に醤油は抽出口Ａからも吸気口Ｅも流れでないことになる。【０００９】  醤油差しが転倒した後に於いても図３で醤油差しのヘッドを三角形にすることによって容器の重心位置の関係によって醤油差しの抽出口は上を向くようになる為に醤油の流出を二重に防ぐことになる。
【発明の効果】
【００１０】  本発明の醤油差しは粘性のない液体であれば何でも使用出来、転倒してもこぼれる心配がいらず高齢者や幼児のいる家庭から飲食業など幅広く安心して使用することが出来る。
【発明を実施するための形態】
【００１１】  本発明の醤油差しはプラスチック、ガラス、鉄などの材料で従来の工法で容易に加工出来、従来の技術で十分補える。
【実施例】
【００１２】  粘性の高い液体に対しても抽出口の口径を大きくすることで対応することが出来る。【００１３】  三角ヘッドＤを半透明にすることによって液面の状態や内部の仕組みが解かるように出来る。
【図面の簡単な説明】
【００１２】
【図１】平面図
【図２】側面図
【図３】Ａ−Ａ断面図
【産業上の利用可能性】
【００１３】  本発明の醤油差しの仕組みは「発明の効果」の記載以外でも工場や化学実験での薬品等使用可能である。
【符号の説明】Ａ：抽出口  Ｂ：衝撃緩衝板  Ｃ：仕切り板  Ｄ：三角ヘッド  Ｅ：吸気口
【図１】
2020195747.tif 000003
【図２】
2020195747.tif 000004
【図３】
2020195747.tif 000005
(57)【要約】      （修正有）【課題】食品加工工場から不用品として排出される原料を利用した、塩分過摂取による成人病の軽減のための、及びミネラル摂取による健康増進のためのパウダー状加工品の提供。【解決手段】ジュース工場から出るリンゴの皮やバナナの皮、或いはカット野菜工場から出る不用品など、その他の野菜や果実を有効利用する為パウダー状に加工し食卓塩に５％から１５％混合する。【選択図】なし【特許請求の範囲】
【請求項１】
ジュース工場から出るリンゴの皮やバナナの皮  或いはカット野菜工場から出る不用品など、その他の野菜や果実を有効利用する為パウダー状に加工し食卓塩に５％から１５％混合しそれらに含まれるミネラルによって健康増進を図る
【請求項２】
果実の皮やカット野菜から派生する不用品などは、産業廃棄物の減量化に効果が大きい
【請求項３】
パン、うどん、練物、その他食品全般にミネラル補給源として加え、塩分過剰摂取に対応する事や摂取の少ないミネラル補給が可能となる
【発明の詳細な説明】
【発明の概要】
【０００１】産業廃棄物の減量化
【０００２】果実、野菜に含まれるミネラル分を究極まで回収する
【発明が解決しようとする課題】
【０００３】塩分過摂取による成人病の軽減、及びミネラル摂取による健康増進【０００４】産業廃棄物量の軽減効果
【発明の効果】
【０００５】追加ミネラル分の自然摂取可能、高血圧予防及び健康増進【０００６】焼却ごみ量軽減化による地球温暖化防止に貢献
【図面の簡単な説明】
【図１】商品化した見本写真
【発明を実施する為の形態】
【０００７】食品加工工場から受け入れた原料を破砕微粒子化し、食卓塩原料と混合しながら乾燥する
【符号の説明】
【０００８】１．パセリのパウダーと食卓塩の混合
２．リンゴ皮のパウダーと食卓塩の混合
３．バナナ皮のパウダーと食卓塩の混合
【図１】
2020195356.tif 000002
(57)【要約】      （修正有）【課題】遺伝により毒エサも効かない非常に駆除するのが難しいくまねずみ（スーパーラッド）の駆除、捕獲を簡単に行える方法を提供する。【解決手段】ねずみが好む花と花バケツ２の上端に設置した粘着シート１及び花バケツ２の下部周辺に設置した粘着シート５とを組み合わせたねずみ捕獲方法。【選択図】図１
2020195355.tif 000002
【特許請求の範囲】
【請求項１】
ねずみが好む花と花バケツの上端に設置した粘着シート及び前記花バケツの下部周辺に設置した粘着シートとを組み合わせたねずみ捕獲方法。
【発明の詳細な説明】
【技術分野】
【０００１】本発明はねずみを捕獲する方法に関する。
【背景技術】
【０００２】ねずみは生花を好み生花業では、ねずみの駆除が生花を食べられないために重要となっている。その駆除方法としては、ねずみの通路（ラットサイン）に粘着シートを設置する、又はねずみ獲りを使用する、毒エサや超音波でねずみが近づかないようにするなど行われている。しかしながら、ねずみの駆除は十分満足のいく方法がないのが現状である。
【発明の概要】
【発明が解決しようとする課題】
【０００３】遺伝により毒エサも効かない非常に駆除するのが難しいくまねずみ（スーパーラッド）の駆除、捕獲においても簡単に行える方法を提供しようとするものである。
【課題を解決するための手段】
【０００４】本発明は、上記課題を解決するために、ねずみが好む花と花バケツの上端に設置した粘着シート及び前記花バケツの下部周辺に設置した粘着シートとを組み合わせたねずみ捕獲方法を提供するものである。
【発明の効果】
【０００５】本発明の方法を用いることにより、簡単な方法で容易に効率よく、くまねずみのスーパーラッドのような駆除が困難なねずみの駆除が可能となる。
８店舗のマーケットで他の大手業者がマーケットが広くねずみの進入口が多すぎて捕獲するには永ければ１年〜２年位、１匹捕るのに半年位との事でしたがこのマーケットで本発明の捕獲方法で２日間花を食べさせ、３日目に本発明の捕獲方法を仕掛けると３日目にねずみを捕獲でき一週間で８匹捕る事が出来ました。
酒屋さんの例では３ヶ月間毒エサ、粘着シート、超音波、ねずみ取り器など試したが捕れなかったねずみが本発明の捕獲方法を仕掛けると３日目に捕れました。近年ねずみが異常発生し住宅や店舗などに出るねずみの９０％近くがくまねずみと言われ遺伝により進化したくまねずみ（スーパーラッド）は駆除しにくいがねずみの好む生花（１２種類）と粘着シート観葉植物の組み合わせで綺麗で早く捕ることができるようになりました。女性や子供でも粘着シートを折り曲げ、ねずみを挟み、新聞紙などに包み捨てられるので安全に処理が出来ます。
有害なねずみを簡単な方法で、容易に効率よく捕るねずみ捕りの方法が提供される。
【図面の簡単な説明】
【０００６】
【図１】生花、粘着シート及び観葉植物を組み合わせた配置例（平面図）
【図２】バケツと粘着シート（平面図）
【図３】バケツと粘着シート（側面図）
【図４】大小のバケツを２段重ねで組み合せた配置例（平面図）
【図５】２段重ねした大小のバケツと粘着シートの組み合せ（側面図）
【発明を実施するための形態】
【０００７】図１に、本発明の方法の１例を示す。図１において、１は花バケツ上端に設置した粘着シート、２は花バケツ、３は生花、４は観葉植物を示す。
生花を例示すると好ましくは、ねずみが好む赤系カーネーション品種名ドンペドロ、同メヌエット、同クグローレ等、赤系の例えば、好ましくは８分咲きの大菊、タカのツメ（とうがらし）。ピンク系カーネーション品種名メリッサ、同ファリダ、同フェミニンミナミ。黄色のスプレー菊。黄色のピンクッション。稲穂（乾燥したものを含む）。以上の１２点を用いることができるが、これらに限定されるものではない。５は、花バケツ下部の床面周辺に設置された粘着シートの一例である。
【０００８】又、別の好ましい、花バケツと花バケツ上端部の粘着シートの配置の一例を図４及び図５に示した。図４及び図５において、花バケツ３及び４は、口径の異る大小の花バケツを２段重ねにしたものであって、花バケツ４は図５のように逆さに置く。上部花バケツ３には該花バケツ上端に粘着シートを設置しておく。一方、上部の花バケツの下部であって花バケツ４の底部に粘着シートを設置してある。下部の花バケツ４は例えば（高さ４００ｍｍ位、間口３００ｍｍ位、底部２３０ｍｍ位）の花バケツが逆さにして用いられ、この花バケツの底部である上部縁に両面テープ（幅２５ｍｍ）で、粘着シート例えば（長さ７０ｍｍ位、幅１０ｍｍ位）を外にはみ出さないように張り詰め（図４及び図５における１参照）、上部花バケツの中に水を深さ２００ｍｍ位入れ水が腐らない為とねずみが好む塩素系好ましくはハイター（商標）などの漂白剤の液体を例えばキャップ４分の１（５ｍｌ位）上部の花バケツに入れ、下部花バケツの下部床面の周辺に図示していない４枚の粘着シートを引き詰めて例えば図１の花バケツの下部床面の周辺に設置された前記粘着シートでねずみを捕獲する。下部花バケツ底部（直径２３０ｍｍ位）の床面が４枚の粘着シートを張るのに丁度よく、通常は２セットの仕掛、前記図２及び図３で例示した花バケツ１段の仕掛と前記図４及び図５で例示した上下２段の花バケツの仕掛け、が用いられるが広い場所ではこれらの仕掛けを組合せて４〜５セット仕掛けると良い。粘着シート（防水ポリブテン粘着液）は市販のもので（株）シマダ製の粘着シートが好ましく例示でき、薬剤を使用してない毒性がない安全な品を使用する。そして好ましくは、下段の花バケツの周辺の床面には、粘着シートの四隅に異なる又は同一の観葉植物（例えば高さ５００ｍｍ位）を置くのもよい。本発明の捕獲方法を仕掛けるのに先だち、まずねずみに３日間食べさせ、４日後に上端に粘着シートを付けた花バケツに、食べられた花をより多く入れセットするのも好ましい態様である。５日後までに８０％以上の確率でねずみを捕獲出来た。
【０００９】５日間で捕れない場合は、観葉植物を増やし粘着シートを観葉植物、例えば高さの低いポトス、シダ等を置き隠すと捕獲できるようになる。くまねずみは祖先が南洋の森林の木の上や野原に穴を掘り生活していたのを思い出させ用心深さを和らげてあげると考えられる。
【符号の説明】
【００】１  花バケツに設置した粘着シート
２  花バケツ
３  ２段重ねの花バケツ小
４  ２段重ねの花バケツ大
５  床面に設置した粘着シート
【図１】
2020195355.tif 000003
【図２】
2020195355.tif 000004
【図３】
2020195355.tif 000005
【図４】
2020195355.tif 000006
【図５】
2020195355.tif 000007